(57)【要約】  【課題】記録媒体から他の記録媒体に映像データをダビングする際に、処理進行状態を容易に把握でき、かつ、ダビング処理が動作中であることを明示する。  【解決手段】  映像データを他の記録媒体にダビングする作業中での画面表示において、現在ダビング処理されている映像データ部分の画像をサムネイル化し表示する。表示したサムネイルをシーンや一定時間ごとに切り替えることで処理進行の確認を容易にし、かつ、ダビング処理が動作していることの確認を可能とする。【選択図】  図４
2009289348.tif 000002
【特許請求の範囲】
【請求項１】
記録媒体に対して映像情報を記録又は再生する情報記録再生装置であって、
第１の記録媒体に記録された映像情報を読み出し、第２の記録媒体に記録するダビング手段と、
前記ダビング手段により前記第２の記録媒体への記録が行なわれる映像情報に対応するサムネイルを表示する第１の表示画面、及び対応する映像情報が前記ダビング手段により第２の記録媒体へ記録中であるサムネイルを表示する第２の表示画面とを作成するダビング画面作成手段と、
前記ダビング画面作成手段により作成した、前記第１の表示画面と前記第２の表示画面とを、前記ダビング手段による処理中に、切り替えて表示させる切替手段とを有することを特徴とする情報記録再生装置。
【請求項２】
請求項１に記載の情報記録再生装置であって、
前記ダビング手段により前記第１の記録媒体から読み出した映像情報から所定時間間隔でサムネイルを生成する生成手段を有し、
前記ダビング画面作成手段により作成される前記第１の表示画面は、前記生成手段により生成したサムネイルを表示することを特徴とする情報記録再生装置。
【請求項３】
請求項１または請求項２に記載の情報記録再生装置であって、
前記第１の記録媒体に記録された映像情報のうち、前記ダビング手段により前記第２の記録媒体にダビングを行なう映像情報に対応するサムネイルを選択する選択手段を有し、
前記ダビング画面作成手段により作成される前記第１の表示画面は、前記選択手段により選択したサムネイルを表示することを特徴とする情報記録再生装置。
【請求項４】
請求項１から請求項３いずれか１項に記載の情報記録再生装置であって、
前記ダビング画面作成手段により作成される前記第２の表示画面は、ダビング全体の進捗を示す進行表示を表示することを特徴とする情報記録再生装置。
【請求項５】
請求項１から請求項４いずれか１項に記載の情報記録再生装置であって、
前記ダビング画面作成手段により作成される前記第１の表示画面は、前記ダビング手段により前記第２の記録媒体への記録が開始された映像情報に対応するサムネイルと、前記第２の記録媒体への記録が開始されていない映像情報に対応するサムネイルとをユーザが判別できるよう、区別して表示することを特徴とする情報記録再生装置。
【請求項６】
請求項５に記載の情報記録再生装置であって、
前記ダビング手段は、前記第１の記録媒体からの映像情報の読み出しが終わっていない状態で、前記ダビング画面作成手段により作成された前記第１の表示画面に表示したサムネイルのうち、対応する映像情報の第２の記録媒体への記録が開始されていないサムネイルが所定個数より多い場合、映像情報を第２の記録媒体へ記録し、対応する映像情報の第２の記録媒体への記録が開始されていないサムネイルが所定個数以下の場合、映像情報を第２の記録媒体へ記録しないことを特徴とする情報記録再生装置。
【請求項７】
請求項１から請求項６いずれか１項に記載の情報記録再生装置であって、
前記第１の表示画面に表示される、前記第２の記録媒体への記録が開始されていない映像情報に対応するサムネイルを削除する削除手段を有し、
前記ダビング手段は、前記削除手段により削除されたサムネイルに対応する映像情報の第２の記録媒体への記録を行なわないことを特徴とする情報記録再生装置。
【請求項８】
請求項１から請求項７いずれか１項に記載の情報記録再生装置であって、
前記ダビング手段によるダビングが行なわれている時に、ダビングを中止する中止手段と、
前記中止手段によりダビング中止が指示された場合に、前記第１の表示画面に表示されたサムネイルの中から、どのサムネイルに対応する映像情報までを第２の記録媒体へ記録するかを選択する選択手段とを有することを特徴とする情報記録再生装置。
【請求項９】
請求項１から請求項８いずれか１項に記載の情報記録再生装置であって、
前記第１の記録媒体はハードディスクであり、前記第２の記録媒体は光ディスクであることを特徴とする情報記録再生装置。
【請求項１０】
映像情報に対する符号化処理と復号化処理を行なう符号化／復号化処理手段と、
前記符号化／復号化手段にて符号化処理された映像情報符号化情報と前記映像情報を特定するサムネイルと前記映像情報管理情報を記録再生する第一の記録再生手段及び第二の記録再生手段と、
前記映像情報と前記サムネイルと前記映像情報の管理情報の映像表示処理を行なう表示画面作成手段と、
前記表示画面作成手段により処理された映像を表示する表示手段と、
前記表示手段に表示される複数のサムネイルから任意のサムネイルを選択する操作手段と、
前記操作手段にて選択された前記任意のサムネイルによって特定される映像情報を前記第一の記録再生手段から前記第二の記録再生手段にダビングするダビング制御手段と、
前記操作手段にて選択された全サムネイルに対して、ダビング済の映像情報のサムネイルと、ダビングの開始されていないの映像情報のサムネイルとを表示する第一の表示処画面と、前記ダビング中の映像情報を特定するサムネイルと前記映像情報に関する詳細情報と前記ダビング期間に対する進捗率を表示する第二の表示画面とを、前記ダビング制御手段によるダビング処理中に、作成するダビング画面作成手段と、
前記ダビング画面作成手段により作成された前記第一の表示画面と前記第二の表示画面とを、前記ダビング制御手段によるダビング処理中に、切り替えて表示させる切替手段とを具備することを特徴とする情報記録再生装置。
【請求項１１】
請求項１０に記載の情報記録再生装置であって、
前記符号化／復号化処理手段は符号化制御あるいは復号化制御のいずれか一方のみで動作することを特徴とする情報記録再生装置。
【請求項１２】
記録媒体に対して映像情報を記録又は再生する情報記録再生装置であって、
第１の記録媒体に記録された映像情報を読み出し、第２の記録媒体に記録するダビング手段と、
前記ダビング手段により前記第１の記録媒体から読み出した映像情報から所定時間間隔でサムネイルを生成する生成手段と、
前記生成手段により生成したサムネイルを表示する表示画面を作成するダビング画面作成手段とを有し、
前記ダビング画面作成手段により作成される前記表示画面は、前記ダビング手段により前記第２の記録媒体への記録が開始された映像情報に対応するサムネイルと、前記第２の記録媒体への記録が開始されていない映像情報に対応するサムネイルとをユーザが判別できるよう、区別して表示することを特徴とする情報記録再生装置。
【請求項１３】
請求項１２に記載の情報記録再生装置であって、
前記ダビング手段は、前記第１の記録媒体からの映像情報の読み出しが終わっていない状態で、前記ダビング画面作成手段により作成された前記表示画面に表示したサムネイルのうち、対応する映像情報の第２の記録媒体への記録が開始されていないサムネイルが所定個数より多い場合、映像情報を第２の記録媒体へ記録し、対応する映像情報の第２の記録媒体への記録が開始されていないサムネイルが所定個数以下の場合、映像情報を第２の記録媒体へ記録しないことを特徴とする情報記録再生装置。
【請求項１４】
請求項１２又は請求項１３に記載の情報記録再生装置であって、
前記表示画面に表示される、前記第２の記録媒体への記録が開始されていない映像情報に対応するサムネイルを削除する削除手段を有し、
前記ダビング手段は、前記削除手段により削除されたサムネイルに対応する映像情報の第２の記録媒体への記録を行なわないことを特徴とする情報記録再生装置。
【請求項１５】
請求項１２から請求項１４いずれか１項に記載の情報記録再生装置であって、
前記ダビング手段によるダビングが行なわれている時に、ダビングを中止する中止手段と、
前記中止手段によりダビング中止が指示された場合に、前記表示画面に表示されたサムネイルの中から、どのサムネイルに対応する映像情報までを第２の記録媒体へ記録するかを選択する選択手段とを有することを特徴とする情報記録再生装置。
【請求項１６】
請求項１２から請求項１５いずれか１項に記載の情報記録再生装置であって、
前記第１の記録媒体はハードディスクであり、前記第２の記録媒体は光ディスクであることを特徴とする情報記録再生装置。
【発明の詳細な説明】
【技術分野】
【０００１】
本発明は、情報記録再生装置に関する。
【背景技術】
【０００２】
特開２００２−１００１６８号公報（特許文献１）には、課題として「多数の番組を大容量記録媒体に記録した場合にどの番組がどの順番で記録されているのかを解りやすくして、簡単な操作で所望の番組を所望の順番で再生、ダビングする」ことが記載され、解決手段として、「複数の映像コンテンツをＨＤに記録する際に、テレビ画面に表示可能な各映像コンテンツのサムネイルを作成してＨＤに保存し、ＨＤに記録された複数の映像コンテンツを再生する場合に、ユーザーがその再生する映像コンテンツ及び再生順を指定可能なようにサムネイルをテレビ画面に表示可能に出力し、指定された映像コンテンツを指定された再生順で再生する」ことが記載されている（引用文献１の要約参照）。
【０００３】
また、特開２００５−２１０１７７号公報（特許文献２）には、課題として「テープ状記録媒体からディスク状記録媒体へ、操作性が高く、効率よくダビングを実行する」こと記載され、解決手段として、「磁気テープに記録された画像信号から、その再生時間軸における一定の時間間隔で、参照画像を表示させるための参照画像信号を抽出する信号抽出手段と、該抽出された参照画像信号を蓄積するためのメモリと、メモリに蓄積された参照画像信号を参照画像の表示用に読出し可能な読出手段と、参照画像が表示された後に、テープ状記録媒体からディスク状記録媒体へのダビング動作に関する動作指示を外部入力することが可能な入力手段とを備える」ことが記載されている（引用文献２の要約参照）。
【０００４】
特開２００７−１８５９９号公報（特許文献３）には、課題として「高速ダビング中の情報（例えば、録画された番組）の再生指示を受け付け、受け付けた再生指示に基づいて、前記情報を再生することにより、高速ダビング中であっても、高速ダビング中の番組を再生する」ことが記載され、解決手段として、「録画した番組をＨＤＤからＤＶＤへ高速ダビング中に、再生要求を受け付けた場合、ＣＰＵは、再生要求があった時点における高速ダビング中の映像音声ストリームを構成するパケットのタイムスタンプに基づいて、再生位置を特定する」ことが記載されている（引用文献３の要約参照）。
【特許文献１】特開２００２−１００１６８号公報
【特許文献２】特開２００５−２１０１７７号公報
【特許文献３】特開２００７−１８５９９号公報
【発明の開示】
【発明が解決しようとする課題】
【０００５】
情報記録装置の1つにビデオカメラがある。近年民生用ビデオカメラでは、上書きの心配がないことや映像検索の容易さなどの理由から、搭載する記録媒体はディスク媒体へ移行してきている。ディスク媒体としては、ＤＶＤなどの光ディスクやハードディスクが用いられている。さらにカメラの長時間記録と高画質化のため、記録媒体の大容量化と高画質記録方式が進められている。
大容量光ディスクとして、ＢＤＡ（Ｂｌｕ−ｒａｙ  Ｄｉｓｃ  Ａｓｓｏｃｉａｔｉｏｎ）で策定された次世代光ディスクＢＤ（Ｂｌｕ−ｒａｙ  Ｄｉｓｃ）や、ＤＶＤフォーラムで規定されているＨＤ−ＤＶＤが登場し、これらには、従来の標準（ＳＤ：Ｓｔａｎｄａｒｄ  Ｄｅｆｉｎｉｔｉｏｎ）モードの映像だけでなく、高精細（ＨＤ：Ｈｉｇｈ  Ｄｅｆｉｎｉｔｉｏｎ）モードの映像をそのまま記録することができる。
【０００６】
一方、最近ではＨＤＤ（Ｈａｒｄ  Ｄｉｓｃ  Ｄｒｉｖｅ）と光ディスクドライブの両方を搭載したハイブリッドビデオカメラが開発されており、ＨＤＤドライブと光ディスクドライブを搭載することで映像ケーブルの接続やパソコン等を使用しなくてもＨＤＤに撮りためた映像を簡単に光ディスクにダビングすることができるようにしているなど、高画質な映像を持ち運び可能なリムーバブルディスクにダビングする方法も数多く検討されている。
【０００７】
前記特許文献１〜３のように、情報記録再生装置でのダビング開始操作では、ユーザの使い勝手向上のために様々な手段が用いられている。
しかし、実際に装置が一旦処理を開始すると、処理が終了するまでに多くの時間を必要としてしまう。特に前記のように近年は高画質の映像を扱うことが多くなり、そのためダビング時間も増加してしまう傾向にあり、その間表示画面に表示される状態として、処理の進捗を示す進行バー、パーセンテージ、残り時間、処理中の映像などが挙げられる。
例えば、ＨＤＤに記録された高精細な第１の符号化圧縮方式の映像データを、第２の符号化圧縮方式の映像にトランスコード処理して光ディスクにダビングする場合、レコーダ等のダビング機器ではダビング作業中に、映像を圧縮する符号化処理部と、圧縮した映像を元に戻す復号化処理部を同時に動作させることが可能であるため、デコードした再生映像を表示させ、それと同時に進捗バーや、進捗度のパーセンテージを表示させることによって、ユーザに作業中の情報を提供している。
【０００８】
しかし、ビデオカメラなどのモバイル機器を用いてのダビングでは、前記のように符号化処理部と復号化処理部を同時に動作させることは、転送レートの制限や、CPUメモリのパワー等のため制御処理部の制限上難しく、例えばデコードした再生映像を表示させることができない。そのため、ユーザに提供する情報は進捗バーや進行のパーセンテージのみの表示になってしまっている。ユーザにとってこれらの表示だけで進捗状況を把握するのは難しく、例えばダビング中断機能を備えた機器でのダビングの場合、ユーザが所望する位置でダビングを中断することは容易ではない。
【０００９】
また、特にトランスコード処理でのダビングでは、コピー方式でダビングを行う場合に比べて多くの時間を要する。そのため進捗バーやパーセンテージ表示になかなか変化が見られない場合もある。ユーザにとってダビング中に機器が正しく動作しているかは、画面表示で判断する方法が普通であり、その画面表示に進捗があまり見られない場合、動作に対してダビングが進んでいるかどうか不安を感じるといったことも考えられる。
【００１０】
また、従来のダビング中の表示画面は、一画面しか表示することができず、ダビング中にユーザが得られる情報に偏りがあった。
【００１１】
本発明は、前記課題に鑑み、簡易な構成でダビング中のユーザの使い勝手を向上することを目的とする。
【課題を解決するための手段】
【００１２】
上記課題は、その一例として情報記録再生装置において、ダビングが行なわれる複数の映像情報に対応するサムネイルを表示する第１の表示画面、及び対応する映像情報がダビングにより記録中であるサムネイルを表示する第２の表示画面と生成し、前記第１の表示画面と前記第２の表示画面とを、ダビング処理中に切り替えて表示可能とすることにより改善される。
【発明の効果】
【００１３】
本発明によれば、情報記録再生装置におけるダビング中のユーザの使い勝手を向上することができる。
【００１４】
前記以外の課題、構成および効果は、以下の実施形態の説明により明らかにされる。
【発明を実施するための最良の形態】
【００１５】
本発明の好適な実施例を図面を用いて説明する。
【実施例１】
【００１６】
本発明の第１の実施例を図１に従って説明する。
図１は、本発明の一実施例を示す２つの記録媒体を備えたハイブリッド型ビデオカメラの本発明に関係する部分の構成を示すブロック構成図である。本実施例では、ビデオカメラを例に説明するが、本発明の構成及び効果はこれに限定されるものではなく、例えば据え置き型ビデオレコーダ等、他の情報記録再生装置にも適用可能である。
【００１７】
図１において、１０はＣＰＵ、１１は撮像部、１２は映像処理部、１３はシステム制御部、１４は符号化／復号化処理部、１５はサムネイル作成部、１６は記録／再生処理部、１６−１はＨＤＤ記録／再生処理部、１６−２はＯＤＤ記録／再生処理部、１７は操作部、１８は表示部、１９は表示画面作成部、２０はハードディスクドライブ（ＨＤＤ）、２１は映像データ記憶領域、２２はサムネイルデータ記憶領域、１９は管理データ記憶領域、２４は光ディスクドライブ(ＯＤＤ)である。
【００１８】
図１に示すこの実施形態は、ＨＤＤ２０とＯＤＤ２４のハイブリッドカメラに適用した場合を例としており、記録媒体として、ＨＤＤ２０のハードディスクとＯＤＤ２４の光ディスクとを備えており、ＯＤＤ２４の光ディスクとしてＤＶＤやＢＤを用いており、着脱可能である。このＨＤＤ２０とＯＤＤ２４には、ＭＰＥＧ（Ｍｏｖｉｎｇ  Ｐｉｃｔｕｒｅ   Ｅｘｐｅｒｔ  Ｇｒｏｕｐ）規格に準じて圧縮された動画が記録される。
【００１９】
次に、この実施形態の記録動作について説明する。ここでは、ＨＤＤ２０に映像を記録する場合を例に説明を行う。なお、本実施例では記録媒体として、ＨＤＤと光ディスクを用いて説明するが、これに何ら限定されるものでは無く、例えば半導体メモリ等の他の記録媒体の組み合わせにおいても、本発明を適用可能である。
【００２０】
撮像部１１は被写体を撮影する光学レンズとこれを電気信号に変換するＣＣＤセンサもしくはＣＭＯＳセンサであり、ここで変換された電気信号は映像処理部１２によりデジタル映像信号に変換される。映像処理部１２から供給されるデジタル映像信号は、システム制御部１３内の符号化／復号化処理部１４にて、ＭＰＥＧ規格に準じた圧縮処理がなされてＭＰＥＧ動画データとなり、記録／再生処理部１６内のＨＤＤ記録／再生処理部１６―１に供給する。また、このデジタル映像信号はサムネイル作成部１５にも供給され、一連のデジタル映像信号によって構成される映像シーンの先頭映像を用いてサムネイルデータを作成するとともに、一連のデジタル映像信号に関する管理情報を作成して、記録／再生処理部１６内のＨＤＤ記録／再生処理部１６―１に供給する。記録／再生処理部１６内のＨＤＤ記録／再生処理部１６―１においては、ＭＰＥＧ動画データとサムネイルデータとその管理データを組み合わせてＨＤＤ２０に供給する。ＨＤＤ２０では、映像データ記録領域２１にＭＰＥＧ動画データ、サムネイルデータ記録領域２２にサムネイルデータ、管理データ記憶領域２３に管理データが記録される。ここで、システム制御部１３や符号化／復号化処理部１４の各機能は、好ましくはマイクロプロセッサでプログラムを実行することにより実現できるが、それらの一部又は全部をハードウェアで構成してもよい。
一方、映像処理部１２から供給されるデジタル映像信号は、システム制御部１３内の符号化／復号化処理部１４を経由することなく表示画面作成部１９にも供給され、表示画面作成部１９にて文字情報等を付加して表示部１８に送られ、撮影中の映像を確認できる。
このＨＤＤ２０への記録操作の開始、終了は、ユーザが操作部１７の記録ボタンを押下することにより実施され、システム制御部１３が撮像部１１、映像処理部１２、及びサムネイル作成部１５、記録／再生処理部１６等を制御している。
【００２１】
次に、この実施形態の再生動作について説明する。ここでは、ＨＤＤ２０に記録された映像データを再生する場合を例に説明を行う。
【００２２】
操作部１７の再生ボタンを押下することによって、再生処理が開始される。再生開始によって、システム制御部１３にて記録/再生処理部１６内のＨＤＤ記録／再生処理部１６―１を制御し、ユーザが指定した映像シーンのＭＰＥＧ動画データをシステム制御部１３内の符号化／復号化処理部１４に供給する。供給されたデータは復号化され元の映像データとなる。この復号化された映像データを表示画面作成部１９に供給して、ここでシーンＮＯや日付やカメラの状態などを示したアイコンなどを映像データ上に配置し、表示部１８にて再生映像として表示される。
【００２３】
次に、この実施形態のダビング動作について説明する。
本実施例では、ＨＤＤ２０に記録されているＭＰＥＧ動画データをＯＤＤ２４内の光ディスクにダビングする際に、圧縮形式を変更することなく、そのままの記録形式でダビングする方法と、トランスコードダビングと称する、符号化／復号化部１４によるトランスコード機能を用いることで、ダビング先の光ディスクに記録形式を変換してダビングする２つのダビング方法が可能である。トランスコードダビングの一例として、ＨＤ映像をＨ．２６４形式でＨＤＤ２０に記録し、記録形式をＭＰＥＧ２形式に変換するとともに解像度（レート）をＳＤモードに変換することで、光ディスクにダビングすることができる。
【００２４】
図２はダビングを実行するブロック構成図であり、図１の符号化／復号化処理部１４の内部を詳細に表したものを含めた図である。
ここでは、ＨＤＤ２０に記録されているＨＤモードの映像信号をＯＤＤ２４内の光ディスクへトランスコードダビングする場合の動作を説明する。
ＨＤＤ２０の映像データ記憶領域２１には、ＨＤモードの複数の映像シーンがＨ．２６４形式で記録されている。このＨ．２６４形式の動画データを復号化処理部１４−１に供給する。復号化処理部１４−１により、供給された映像データは復号化され内部メモリ１４−２に一時保存される。一定量のデータが内部メモリ14−２に保存されると、その保存されたデータを符号化処理部１４−３に供給する。符号化処理部１４−３では、供給されたデータをＤＶＤ用のＳＤモードのデータに符号化する。この符号化されたデータをダビング先である、ＯＤＤ２４内の光ディスクに書き込む。この一連の動作を繰り返し、ダビング元のＨＤＤ２０からダビングするシーンの全データをＤＶＤに書き込むことによって、ダビングが完結する。
また、このダビング動作内で処理するデータのシーンが変わるごとに、そのシーンの先頭画面画像であるサムネイルをＨＤＤ２０内のサムネイルデータ記憶領域２２から、記録再生処理部１６を経由して、表示画面作成部１９に供給しその他のダビング中の情報（進捗パーセンテージや、進捗を示したバー表示等）を付加し、表示部１８に表示する。この時、表示する画面についての詳細は後述する。
また、復号化処理部１４−１で復号化された映像データはサムネイル作成部１５にも供給され、その供給された映像データでの先頭画面画像をサムネイルとして作成し、記録再生処理部１６を経由して、ＨＤＤ２０のサムネイルデータ記憶領域２２に保存され、前記同様にして表示部１８に表示するようにしてもよい。
【００２５】
次に、圧縮形式を変更することなく、そのままの形式でダビングする方法を説明する。
このダビング方式の場合は、ＨＤＤ２０の映像データ記憶領域２１のＭＰＥＧ動画データをそのままＯＤＤ２４内の光ディスクに書き込むことによりダビングが完結する。書き込みの進捗に合わせて、上記同様にしてＨＤＤ２０内のサムネイルデータ記憶領域２２に記録されているサムネイルを表示するようにする。また、進捗に合わせてその映像シーンＭＰＥＧ動画データを復号化処理部１４−１で復号化し、復号化した映像をサムネイル作成部１５で現在処理中の映像の場面としてサムネイルを作成し、前記トランスコードダビング時同様処理にて、表示部１８に表示する。
この２つのダビング過程において、復号化処理部３０にある所定時間（例えば５秒、１０秒等）ごとに映像データを供給することによって、表示部１８に表示されるサムネイルが更新され現在ダビング中の場面に近いサムネイルが表示されるようになる。
【００２６】
次に本実施例でのダビング開始までの操作について説明をする。
操作部１７のダビングボタンを押すと、ダビングするシーンを選択する画面へと遷移する。前記シーンを選択する画面を示した図が図３である。図３はタイトルバー３１、サムネイル３２、カーソル３３、選択済みカーソル３４、ガイドバー３５で構成されている。
サムネイル３２は、ＨＤＤ２０内サムネイルデータ記憶領域２２に記録されているサムネイルが記録された順に並べられている。このサムネイルは撮影時と同時に記録され保管されているデータであり、また管理データ記憶領域２３に保管されているデータによって、記録された順に並べられている。
本画面では、サムネイルを囲んだ枠がカーソル３３として表示され、操作部１７内のカーソルキーの操作によりサムネイル上を移動する。また、ガイドバー３５には本画面表示中に有効となる操作部１７内のキーを示したアイコンと、そのキーを押した時の動作が説明されている。
本画面ではユーザがサムネイルを見てダビングしたいシーンを判断し、ダビングするシーンとして選択する場合は、カーソルキーを操作して所望のシーンのサムネイル上にカーソル３３を移動させ、操作部１７内の選択ボタンを押下する。選択ボタンが押下されると、カーソルの色が変化してユーザにシーンが選択されたことを示す選択済みカーソル３４へと変化する。複数のシーンをダビングする場合は、前記同様カーソルキーを操作してサムネイルを選択し、選択ボタンによってダビングしたいシーンの選択を繰り返す。このとき、カーソル３３がどのサムネイル上にあっても、選択したシーンのサムネイルには選択済みカーソル３４に囲まれており、選択したシーンが分かるようになっている。シーンの選択が終了したら、操作部１７内の決定ボタンを押すことによってダビングが開始される。
【００２７】
図４はダビング中の表示画面である。
本画面には、タイトルバー、ガイドバー、ダビング処理を行っているシーンのサムネイル３６、ダビング処理を行っているシーンの詳細情報、ダビング全体の進捗を示す進行表示バー３７が表示されている（以下、一画面ダビング表示と呼ぶ）。
このサムネイル３６と詳細情報は、ダビングしているシーンが変わるたびに更新される。また、サムネイル３６は所定時間（例えば５秒、１０秒等）ごとにも更新され、現在光ディスクへの書き込みが行なわれている映像シーンに対応するサムネイル３６が表示される。このため、ユーザにとってダビング処理の進捗状況がより解りやすくする。本画面では、一つのサムネイルを大画面で表示することができるため、ビデオカメラにように小さい表示画面上でダビング状況を確認しなければならない場合に、ユーザの視認性を向上させることができる。これにより、ユーザは容易にダビング処理の進捗状況を確認でき、ダビングの際の利便性を向上させることができる。
【００２８】
さらに、ダビングの進捗状況を示すため、例えば光ディスクの記録容量と、ダビング処理で光ディスクに既に記録した記録容量を示す進行表示バー３７、ダビングが複数枚の光ディスクに渡る場合に何枚目の光ディスクにダビング中であるかを示す表示、又は光ディスクへ記録中の映像情報の撮影日時情報の表示などを画面に表示することで、さらにユーザにとってダビング処理の進捗状況が解りやすくなり、ダビングの際の使い勝手を向上させることができる。
本画面が表示されている間、操作部１７内のキャンセルボタンが有効であり、キャンセルボタンを押下することによって、ダビング作業の中断を行うことが可能である。ユーザはダビング中断を決定する判断材料として、サムネイル３６、進行表示バー３７を参考に中断決定をする。この中断指示は、本画面下段の中止メニューを選択することにより行なうことができる。
また本画面上では、例えば、操作部１７内カーソルの上下ボタン等も有効であり、ダビング中の表示を切り替えることが可能である。
【００２９】
図５は例えばダビング図４のダビング画面での上下キー等により、ダビング中画面が切り替わった、ダビング中画面２である。また、この画面での上下キー操作により、再び図４のダビング中画面に遷移することも可能である。
図５はタイトルバー、ガイドバー、ダビングするシーンとして図３の画面で選択されたサムネイル３８、ダビング全体の進捗を示す進行表示バーで構成されている（以下、複数画面ダビング表示と呼ぶ）。
本画面ではダビング予定の全シーンがサムネイル表示される。サムネイル３８も図４で表示されたサムネイル３６同様、撮影時と同時に記録されたＨＤＤ２０内のサムネイルデータ記憶領域２１に保管されているデータを使用し表示される。ダビング予定シーン数が本画面に表示可能なサムネイル枚数を超えた場合には操作部１７内カーソルの左右ボタンにより、サムネイル３８を表示されていないサムネイルに切り替えることも可能である。
また、ダビング処理が終了したシーンのサムネイル３８はサムネイル上に処理が終了したしるし等を付けるなどして、全体のダビング処理の中でどのシーンまで処理が終了したかを示す処理を施す。例えば、処理が終了したサムネイル上には半透明の黒いマスク３９をかけることで、そのサムネイルシーンのダビング処理が終了していることを示す。 
また、現在ダビング処理中であるシーンのサムネイル３８はカーソルで囲まれ、現在処理されているシーンとして示す。
現在処理中のサムネイル３８は、ダビング処理中に復号化処理部１４−１を通してシーン途中のサムネイルが新たに生成された場合は、新たにサムネイルを更新する。本画面では、ダビング処理全体の進捗状況を確認することができるため、ユーザはダビング状況の全体像を把握することができ、ダビングの際の利便性を向上させることができる。
【００３０】
図６は図４または図５の画面で操作部１７内のキャンセルボタンが押下された時又は中止メニュー選択時に表示される、ダビング中断確認画面である。本画面では、ダビング中断を実行するかの最終判断をユーザに問う。「はい」が選択された場合、現在ダビングが進んでいるところまででダビング操作を中止する。「いいえ」または、キャンセルボタンが押下された場合には、図４または図５の画面が再表示され、ダビング処理は継続される。
【００３１】
以上のように本実施例によれば、ＨＤＤ２０内にある映像データをＯＤＤ２４内の光ディスクにダビングする際に、表示部１８にサムネイルを表示することができ、ユーザにとって利便性が向上する。
【００３２】
このように、ビデオカメラのようなシステムの制限上、ダビング中に内部の作が限られてしまう場合でも、前記実施例のように、ダビングを行いながら、サムネイルを表示、更新し、ユーザにダビング処理中であることを認識させ、また、現在のダビング部分をより詳しく伝えることができるので、使い勝手が向上する。
【００３３】
また、一画面ダビング表示と複数画面ダビング表示とを切り替える手段を設けることにより、ユーザは両表示のメリットを得ることができ、快適にダビングを行なうことができる。
【００３４】
以上の実施例では、ＨＤＤに記録した映像を、ハイブリッドカメラを用いて光ディスクにダビングする場合を説明したが、ダビング先のＯＤＤをビデオカメラに接続した場合でも可能である。また、ダビング元、ダビング先のメディアが異なる場合でも有効である。
【００３５】
以上の実施例では、ダビング中のサムネイル表示例として、図４または図５を説明したが、例えばダビング処理が終了したシーンのサムネイルと、現在ダビング中シーンのサムネイルを表示して、１シーンダビングが終了する度にサムネイルが表示上に追加されていくといった表示方法も可能である。また、本方法では１シーン内で表示していたサムネイルだけを終了した部分に追加していくといった表示方法も可能であり、例えば図７が表示されている場合、シーン３がダビング中であり、ダビングが終了している場面を５枚のサムネイルで表示している。この場合、ダビング指定シーンが２シーン以上ある場合は、１シーンのダビングが終了すると、現在表示されているサムネイルを消去して、次のシーンのサムネイルが表示されるといった、画面遷移となる。本例ではより細かく、ユーザにダビングの進捗を伝えることが可能である。
【００３６】
図８は、ダビング中のサムネイル表示例として、所定時間間隔で生成されるサムネイル及びシーン先頭のピクチャのサムネイルを順次、追加して表示していく場合の表示例である。これにより、ユーザはより細かくダビング中の映像情報を確認することができる。
【実施例２】
【００３７】
本発明の第２の実施例を説明する。第２の実施例を例えばビデオカメラに適用した場合の構成は、第１の実施例と同様に図１で示される。ただし、第１の実施例と同様に、本発明はビデオカメラに限定されるものでは無く、据え置き型ビデオレコーダ等、他の情報記録装置にも適用可能である。なお、本実施例では記録媒体として、ＨＤＤと光ディスクを用いて説明するが、これに何ら限定されるものでは無く、例えば半導体メモリ等の他の記録媒体の組み合わせにおいても、本発明を適用可能である。
【００３８】
図９に、ビデオカメラが電源ＯＮから電源ＯＦＦまでに実行する動作のフローチャートを示す。以下のフローチャートに示す動作は、ＣＰＵ１０、システム制御部１３、記録/再生処理部１６の制御の下で実行されるものとして説明する。
【００３９】
ユーザによる電源開始操作により、ビデオカメラの電源ＯＮとなる（ステップＳ９０１）。電源ＯＮとなると待機状態となり、ユーザからの指示を待つ（ステップＳ９０２）。ユーザよりダビングモードへ移行する指示があると、ダビングモードへ移行し（ステップＳ９０３）、ダビングシーン選択処理を行なう（ステップＳ９０４）。この際、ダビングシーンの選択は、例えば図３のようにユーザがダビングシーン選択画面より選択するようにしてもよいし、ビデオカメラ側でダビングシーンを自動で選択するようにしてもよい。ユーザからダビング実行の指示があると、ダビング処理を開始する（ステップＳ９０５）。ダビング処理が開始されると、記録/再生処理部１６において、ＨＤＤ２０の映像データ格納領域２１より映像データの読み出しが行なわれる（ステップＳ９０６）。
【００４０】
ダビング方法には、第２の実施例においても第１の実施例と同様にトランスコードダビングによる方法と圧縮方式を変更することなく、そのままの形式でダビングする方法とがある。このどちらの方法においても、本発明は適用可能であるが、第２の実施例においては、後者の方法の場合、すなわちダビングする映像データについて基本的に復号化/符号化処理を行なわずにダビングを行なう方法で説明する。この場合、サムネイルを生成すべき映像データについては、復号化処理が行なわれる。
【００４１】
前記ステップＳ９０６において読み出した映像データ（以下、ピクチャと呼ぶ。）が、シーン先頭のピクチャの場合（ステップＳ９０７）及び所定時間間隔のピクチャの場合（ステップＳ９０８）にはピクチャからサムネイルが生成され（ステップＳ９０９）、サムネイルが表示される（ステップＳ９１０）。この際のピクチャを復号化し、サムネイルを生成する際の処理は第１の実施例に示したのと同様であり、省略する。また、ステップＳ９１０でサムネイルが表示される際、表示部１８に表示中の画面が一画面ダビング表示である場合には、複数画面ダビング表示の場合よりも大きいサムネイルが表示される。なお、ステップＳ９０９で生成されたサムネイルは、サムネイルデータ記憶領域２２に格納されるものとする。
【００４２】
ここで、本実施例でダビングの際、表示されるサムネイルには２種類のサムネイルがある。ひとつは、対応する映像シーンの光ディスクへの書き込みが開始されたサムネイル（以下、書込サムネイルと呼ぶ。）であり、もうひとつは、対応する映像シーンの光ディスクへの書き込みが開始されていないサムネイル（以下、編集サムネイルと呼ぶ。）である。図１０において、書込サムネイルは１０１で、編集サムネイルは１０２で示されるものである。  前記ステップＳ９１０でサムネイルが表示された場合、編集サムネイルがひとつ増えることになる（ステップＳ９１１）。
ここで、ユーザからダビング中止指示があった場合（ステップＳ９１３）、シーン区切りまではダビングを継続し（ステップＳ９２２）、シーン区切りとなったところで（ステップＳ９２３）、ダビング処理を終了する（ステップＳ９２４）。ここで、シーンの区切りとは、例えばチャプタが終了することを示すエントリポイントの打たれた場所等で判別されるものである。また、中止指示があった場合、どのシーンまでダビングするかを、編集サムネイルの中からユーザが選択するようにしても良い。
【００４３】
削除指示があった場合（ステップＳ９１４）、ユーザは、編集サムネイルの中から削除するシーンに対応するサムネイルを選択する。ユーザにより選択されたサムネイルは削除され、対応するシーンの光ディスクへの書き込みは行なわれずに、再びダビング処理が継続される。
【００４４】
表示画面に表示された編集サムネイルがＮ個（例えば５個等）より多い場合、映像シーンの光ディスクへの書き込みを実行し、編集サムネイルがＮ個以下の場合には、ＨＤＤ２０の映像データ格納領域２１より読み出す次の映像データがあれば光ディスクへの書き込みを行なわずにステップＳ９０６に戻り、ＨＤＤ２０からの映像シーンのデータの読み出し処理を継続する（ステップＳ９１５）。これにより、ユーザは編集サムネイルを確認しながら、光ディスクへの書き込みを行なうかどうか判断することができ、簡易に、より細かなダビングを行なうことができる。
【００４５】
光ディスクへの書き込みが行なわれると、所定時間分の映像データが書き込みが行なわれたか判別し（ステップＳ９１９）、所定時間分の書き込みが行なわれると、表示画面の編集サムネイルがひとつ書込サムネイルに新たに置き換わる（ステップＳ９２０）。
【００４６】
ＨＤＤ２０の映像データ格納領域２１より読み出す映像データが無くなると（ステップＳ９２１）、残りの編集サムネイルに対応するシーンを光ディスクへ記録し（ステップＳ９２４）、ダビング処理を終了する（ステップＳ９２５）。ビデオカメラに備え付けられたスイッチ等により、ユーザから電源ＯＦＦの指示があった場合（ステップＳ９２６）、ビデオカメラの電源ＯＦＦされる（ステップＳ９２７）。
【００４７】
このように、ダビング中に所定時間間隔でダビング中シーンのサムネイルを生成することで、ユーザがより細かくダビングされるシーンを確認できるという効果を、簡易な構成で達成することができる。
【００４８】
編集サムネイルは常にＮ個以上表示されるよう制御され、ユーザは編集サムネイルを確認後、そのシーンをダビングするかどうか判断し、いらないと判断した場合には、削除または中止指示をすることができる。このため、ユーザはダビングするシーンの中身を、より詳しく確認しながらダビングを行なうことができる。また、不必要な情報をダビングせず、光ディスクの容量を有効に利用することができる。さらには、サムネイル生成の時間間隔を短くすることで（例えば５秒、１０秒等）、ユーザは自分の残したくない場面を適切に外して、光ディスクへのダビングを行なうことができる。
【００４９】
図１０は、図９のステップＳ９０５からステップＳ９２０のダビング処理を行なう際の、ユーザ側に表示される画面表示の一例を示す図である（以下、複数画面ダビング表示と呼ぶ）。
本画面に表示されるサムネイルには１０１、１０２及び１０３の３種類のサムネイルが有る。サムネイルは所定時間間隔及び先頭シーンのピクチャについて順次、生成され、新たに生成されたサムネイルは表示列の最後に表示される。網掛けのサムネイル１０１はすでに光ディスクへの書き込みが開始されたシーンに対応するサムネイルである（書込サムネイル）。太枠で囲まれたサムネイル１０３はカーソルで選択されているサムネイルを示す。サムネイル１０２は、まだ光ディスクへの書き込みが開始されていないシーンに対応するサムネイルである（編集サムネイル）。ユーザは、下段の削除メニューを選択することで、編集サムネイルの中から選択したサムネイルを削除し、削除されたサムネイルに対応するシーンの光ディスクへの書き込みを行なわないようにすることができる。
【００５０】
また、下段の上下キーを操作することにより、第１の実施例における一画面ダビング表示と表示の切り替えを相互に行なうことができる。この際、一画面ダビング表示への切り替えを行なう場合には、サムネイルの拡大処理が行なわれる。一画面ダビング表示から複数画面ダビング表示への切り替えが行われる場合には、ステップＳ９０９で生成され、サムネイルデータ記憶領域２２に格納されたサムネイルデータを読み出すことで、複数画面ダビング表示を行なう。
【００５１】
本実施例では、ダビング中に対応する映像シーンのサムネイルを表示してから、光ディスクへの書き込みを開始するまでの間にタイムラグ（時間差）を設ける。さらに、表示画面中に書込サムネイルと、編集サムネイルとを識別できるよう印を付けて表示する。これにより、簡易な構成でユーザは細かな編集を行ないながらダビングをすることができる。
【００５２】
なお、本発明は何ら上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない、また、ある実施例の構成の一部を他の実施例の構成に置き換えることが可能であり、また、ある実施例の構成に他の実施例の構成を加えることも可能である。
【図面の簡単な説明】
【００５３】
【図１】本発明の第１及び第２の実施例におけるビデオカメラの概略示すブロック図である。
【図２】本発明の第１の実施例における符号化/複合化処理部の概略を示すブロック図である。
【図３】本発明の第１及び第２の実施例におけるダビングシーン選択時の表示画面の一例を示す図である。
【図４】ダビング中の表示画面を示す図である。
【図５】ダビング中の表示画面を示す図である。
【図６】ダビング中断を選択する時の表示画面の一例を示す図である。
【図７】ダビング中の表示画面の一例を示す図である。
【図８】ダビング中の表示画面の一例を示す図である。
【図９】本発明の第２の実施例における、電源ＯＮからＯＦＦまでの動作を示すフローチャートである。
【図１０】本発明の第２の実施例における、ダビング中の表示画面を示す図である。
【符号の説明】
【００５４】
１１…撮像部
１２…映像処理部
１３…システム制御部
１４…符号化／復号化処理部
１４−１…復号化処理部
１４−２…内部メモリ
１４−３…符号化処理部
１５…サムネイル作成部
１６…記録／再生処理部
１６−１…ＨＤＤ記録／再生処理部
１６−２…ＯＤＤ記録／再生処理部
１７…操作部
１８…表示部
１９…表示画面作成部
２０…ハードディスクドライブ（ＨＤＤ）
２１…映像データ記憶領域
２２…サムネイルデータ記憶領域
２３…管理データ記憶領域
２４…光ディスクドライブ（ＯＤＤ）
【図１】
2009289348.tif 000003
【図２】
2009289348.tif 000004
【図３】
2009289348.tif 000005
【図４】
2009289348.tif 000006
【図５】
2009289348.tif 000007
【図６】
2009289348.tif 000008
【図７】
2009289348.tif 000009
【図８】
2009289348.tif 000010
【図９】
2009289348.tif 000011
【図１０】
2009289348.tif 000012